(57)【要約】【課題】  プリンタ記述言語は、任意のサイズのセルをハーフトーンスクリーンに設定することを許可しているものがある。つまり、スクリーン線数には任意の値が設定可能である。しかし、デバイスの解像度に対して非常に大きいセルを指定したり、不適切な角度を指定すると、メモリが不足するおそれがあり、実際メモリが不足して、setscreen とsethalftone はlimitcheck エラーを発行して実際にハーフトーン処理が行えなくなることがあった。【解決手段】  ユーザーが設定またはデータで指定した線数、角度が最終的にどのような線数、角度になるか表示して知らせる。その際ＰＳインタプリタがなくても予め使用するＰＳインタプリタで生成した線数、角度の対応表を使い表示することでインタプリタがないものでも対応可能としている。【選択図】  図２
2008260221.tif 000002
【特許請求の範囲】
【請求項１】
PDL（プリンタ記述言語）を解釈する手段を有し、ハーフトーンスクリーン設定の線数や角度を設定する線数、角度設定手段、ＰＤＬで解釈し最終的に出力される線数、角度を求める線数角度対応手段、その対応手段から求めた最終線数、角度を表示する最終線数、角度表示手段をもつことを特徴とする画像処理装置。
【請求項２】
PDL（プリンタ記述言語）を解釈する手段を有し、ハーフトーンスクリーン設定の線数や角度を設定する線数、角度設定手段、ＰＤＬで解釈し最終的に出力される線数、角度を求める線数角度対応手段、その対応手段から求めた最終線数、角度と前記線数、角度設定手段で設定された線数、角度とのそれぞれの差を求める線数差、角度差演算手段、許容線数差、許容角度差を予め登録する許容差登録手段、線数差、角度差演算手段で求めた線数差と角度差をそれぞれ許容線数、許容角度と比較を行い許容範囲に入っているか確認する許容範囲内判断手段、許容範囲内判断手段で許容範囲外であればより高い解像度に設定を行う解像度設定変更手段をもつことを特徴とする画像処理装置。
【請求項３】
PDL（プリンタ記述言語）を解釈する手段を有し、ハーフトーンスクリーン設定の線数や角度を設定する線数、角度設定手段、ＰＤＬで解釈し最終的に出力される線数、角度を求める線数角度対応手段、その対応手段から求めた最終線数、角度と前記線数、角度設定手段で設定された線数、角度とのそれぞれの差を求める線数差、角度差演算手段、許容線数差、許容角度差を予め登録する許容差登録手段、線数差、角度差演算手段で求めた線数差と角度差をそれぞれ許容線数、許容角度と比較を行い許容範囲に入っているか確認する許容範囲内判断手段、許容範囲内判断手段で許容範囲外であり高い解像度に設定を行うことができないときに他の解像度の高いプリンタを検索して出力先プリンタを変更する出力先プリンタ変更手段をもつことを特徴とする画像処理装置。
【請求項４】
PDL（プリンタ記述言語）を解釈する手段を有し、ハーフトーンスクリーン設定の線数や角度を設定されたＰＤＬデータを解釈し最終的に出力される線数、角度を求める線数角度対応手段、その対応手段から求めた最終線数、角度を表示する最終線数、角度表示手段をもつことを特徴とする画像処理装置。
【請求項５】
請求項５記載の画像処理装置でハーフトーンスクリーン設定の線数や角度を設定されたＰＤＬデータを解釈し、設定されている線数、角度を表示する設定線数、角度表示手段ももつことを特徴とする画像処理装置。
【発明の詳細な説明】
【技術分野】
【０００１】
本発明は、PDL(Printer Description Language)でのハーフトーン処理に関して、その線数、角度の設定方法、その表示に関するものである。
【背景技術】
【０００２】
ハーフトーン処理とは、限られた色で連続トーンを擬似的に表現する技術である。連続トーンを再現できない出力装置は、限られた色でピクセルのパターンを擬似的に表現する。たとえば、新聞に掲載されているモノクロ写真は、白と黒のピクセルでグレー階調を再現した例である。
【０００３】
ハーフトーンスクリーンを高精度に制御できるPDLとしてPostScript(PS)（PostScriptは登録商標） が良く知られている。このPSの中で簡単に線数、角度を指定できるものがHalftoneType が1のものである。このHalftoneType が1のハーフトーンスクリーンのハーフトーン辞書は、ハーフトーンスクリーンをスクリーン線数（Frequency）、角度（Angle）、スポット関数（SpotFunction）が必須でこれらによって定義されている。また、スクリーン線数は、1 インチあたりのハーフトーンセルの数を表す。角度は、スクリーンとデバイス座標系のx 軸との角度を表す。セルに指定したグレー値が黒から白に近づくと、セルを構成するピクセルは、所定の順番で黒から白に変化する。
【０００４】
又、従来例としては、例えばプルーフ画像形成方法および装置において、網点の重なりによるモアレ、ロゼッタの軽減方法を記載したものがある（特許文献１参照）。
【特許文献１】特開２００４−３８０２４号公報
【発明の開示】
【発明が解決しようとする課題】
【０００５】
PostScript（PostScriptは登録商標） 言語は、原則として、任意のサイズのセルをハーフトーンスクリーンに設定することを許可している。つまり、スクリーン線数には任意の値が設定可能である。しかし、デバイスの解像度に対して非常に大きいセルを指定したり、不適切な角度を指定すると、メモリが不足するおそれがあり、実際メモリが不足して、setscreen とsethalftone はlimitcheck エラーを発行して実際にハーフトーン処理が行えなくなることがあった。
【０００６】
また、印刷機などの高精細プリントではデバイス解像度2400dpiで前記ハーフトーン処理をおこなっているので任意の線数が指定されても問題になることがなかった。しかし、電子写真などを利用したプリンター（印刷装置）では通常デバイス解像度は600dpiほどで高くても1200dpiほどである。また、印刷では熟練したオペレータがスクリーンの設定を行っているのに対して、電子写真などを使ったプリンターはオフィスなどで用いられるため使用者がスクリーンのことを良く知らないで操作してしまうことも多く、そのため任意の線数を指定してメモリが不足したり、またデバイス解像度の限界から任意の角度にならない場合が多く発生していた。
【０００７】
たとえば従来は図3に示すようなユーザーインターフェースによりスクリーン線数（Frequency）、角度（Angle）が指定可能で71線、45度と指定した場合は出力も実際71線、45度で出力されるが、デバイス解像度が600dpi時で71線、0度と指定すると実際に生成されるハーフトーンパターンは75線、0度となり線数がユーザーが指定した値71線にはならず75線になり指定よりずれて出力されていた。
【０００８】
また従来はプリフライトとして実際にデータ内にどのように設定しているかは表示されていたが最終出力がどのようになるかは表示されるものはなかった。
【課題を解決するための手段】
【０００９】
そこで本発明では、上記課題を解決するためユーザーが設定またはデータで指定した線数、角度が最終的にどのような線数、角度になるか表示して知らせる。その際PSインタプリタがなくても予め使用するＰＳインタプリタで生成した線数、角度の対応表を使い表示することでインタプリタがないものでも対応可能としている。
【００１０】
また本発明では、ユーザーが設定またはデータで指定した線数、角度と最終的に使用される線数、角度との差が大きいときは解像度指定を現在の設定より高解像度の設定に変更して指定値と実際の値の差を小さくする。出力しようとしている機械でより高解像度の設定がない場合はより高解像度の機械をネットワーク上から検索してその機械に出力を可能にする。
【００１１】
さらにプリフライトする際に最終出力での線数、角度を表示するようにする。またPDL解釈部で処理した結果をデバイスに表示するようにして自分が出力したものがどのような線数、角度で出力したかを知ることが可能となる。
【発明の効果】
【００１２】
以上によりユーザーが指定した線数、角度が最終的にどのような線数、角度になるかをユーザーに知らせたり、より高解像度設定や機械を選択することでユーザーが指定した線数、角度に出力するものがより近い値になり、ユーザーの希望により近い出力結果を出力できる効果が得られる。
【発明を実施するための最良の形態】
【００１３】
（第一の実施例）
本発明の第一の実施例のシステム構成例を図１のシステム図を用いて説明する。
【００１４】
ＰＣパーソナルコンピュータ（101）内のアプリやドライバなどによって作成されたPDL(Printer Description Language)データがネットワーク（102）を介して、プリンタ(103)に送られる。プリンターに送られたPDLデータはPDL解釈部（104）でPDLで書かれたコマンドを解釈し、それぞれのコマンドを2値イメージに変換し、前記変換されたデータは随時メモリーRAM（109）やハードディスクHD（107）に格納され、画像処理部（105）で濃度変換などさまざまな画像処理が行われ、プリンタエンジン部（106）に送られプリント印刷される。また、各種設定などはユーザーインターフェースUI(312)により指定できるようになっており、それらの命令や前記各種処理の制御は中央演算部CPU(108)により制御されている。
【００１５】
次に本特許のメインであるハーフトーン処理を図３のドライバ設定を用いて説明する。ユーザーがハーフトーン設定を行いたいときは図３のドライバのプロパティーを開きその中のQualityタブを選択し、HalftoneSettingsを設定する。さらに線数、角度を設定したい場合は図３の302のCustomボタンをクリックし303のSettingsをクリックし、304の詳細設定画面に移行し、そこで線数(Frequency)と角度(Angle)を設定する。この際図３に示しているのは従来例でユーザーの設定だけで実際には課題にも書いたが電子写真などを利用したプリンター（印刷装置）では通常デバイス解像度は600dpiほどで高くても1200dpiほどであった。そのため任意の線数を指定するとメモリが不足したり、またデバイス解像度の限界から任意の角度にならない場合が多かった。たとえば従来は図3に示すようなユーザーインターフェースによりスクリーン線数（Frequency）、角度（Angle）が指定可能で71線、45度と指定した場合は出力も実際71線、45度で出力されるが、デバイス解像度が600dpi時で71線、0度と指定すると実際に生成されるハーフトーンパターンは75線、0度となり線数がユーザーが指定した値より若干ずれて出力されていた。
【００１６】
そこで本発明では図１のPDL解釈部に図２の処理フローを追加して課題を解決しているので、図２の本実施例の処理フローと図４のユーザーインターフェースを用いてユーザーの設定の流れ、処理の流れを詳細に説明する。一例としてＰＳドライバでユーザーがハーフトーン処理の線数、角度を設定したいときについて説明する。まず図２のStep201のHalftone Setting:Customで線数、角度を指定するため図３に示すドライバのプロパティーを開きその中のQualityタブを選択し、HalftoneSettingsの302のCustomボタンをクリックし303のSettingsをクリックし、図４の304の詳細設定画面に移行する。そこでユーザーは３０５の線数(Frequency)と３０６の角度(Angle)を入力する。たとえば71lpi（線）、0degrees（度）と入力する。するとStep202の出力線数、角度を求めに進み、ここでは入力された線数、角度から出力する線数、角度を求める。ここでHalftoneType が1のハーフトーンスクリーンのハーフトーン辞書は、スクリーン線数（Frequency）、角度（Angle）、スポット関数（SpotFunction）が必須であると前で述べたがこのスポット関数はこの場合予め決められているものを用いている。ここでは丸のスポット関数が使用されている。上記のHalftoneType が1のハーフトーンスクリーンのハーフトーン辞書から実際にＰＳインタプリタで処理を行い入力された設定値から204で示す出力値を求める。この計算はその都度行ってもいいがパフォーマンスなどを考慮すると予め求めておくと処理時間もかからなく好ましいので204で示すように線数、角度の設定値に対応した出力値のテーブルを予めドライバに持っている。実際にはここでは設定値が71lpi（線）、0degrees（度）なので出力値は75lpi（線）、0degrees（度）と求まる。次にStep203の出力線数、角度表示に進み、Ｓｔｅｐ２０２で求めた出力値の75lpi（線）、0degrees（度）を図４の402、403に75lpi（線）、0degrees（度）と表示する。
【００１７】
以上から図３の３０４のように従来ユーザーが設定した線数、角度のみの設定だけであったが、本発明では図４の304のようにユーザーが設定した線数、角度から実際に使用される線数、角度を表示する部分を設けユーザーに実際に出力される線数、角度を知らせ、デバイスやメモリーの制限による設定と実際の出力のずれを予め知らせ、ユーザーに最終出力をイメージしやすくすることが可能となっている。
【００１８】
この実施例の中では線数、角度をそれぞれ指定しているが線数だけや角度だけもよく、さらにはスポット関数を設定できるようにしてもよい。すなわち線数、角度、スポット関数を指定して、最終線数、角度を表示するようにすることを目的とする。たとえば予め角度は固定にしてユーザーが設定するのではなく予め指定したものを用い、最終線数、角度を表示するようにしても同様の効果を示す。
【００１９】
（第二の実施例）
本発明の第一の実施例ではユーザーが設定したハーフトーンスクリーンの線数、角度が出力でどのようになるかを知らせるだけであったが、第二の実施例ではさらにユーザーが設定した値に出力を近づけユーザーの所望の線数、角度になるようにする例を説明する。
【００２０】
実際の方法を図６の本実施例の処理フローをメインに図３、図４、図８のユーザーインターフェースを用いてユーザーの設定の流れ、処理の流れを詳細に説明する。一例としてＰＳドライバでユーザーがハーフトーン処理の線数、角度を設定したいときについて説明する。まず図２のStep201のHalftone Setting:Customで線数、角度を指定するため図３に示すドライバのプロパティーを開きその中のQualityタブを選択し、HalftoneSettingsの302のCustomボタンをクリックし303のSettingsをクリックし、図４の304の詳細設定画面に移行する。そこでユーザーは３０５の線数(Frequency)と３０６の角度(Angle)を入力する。たとえば71lpi（線）、0degrees（度）と入力する。するとStep202の出力線数、角度を求めに進み、ここでは入力された線数、角度から出力する線数、角度を求める。ここでHalftoneType が1のハーフトーンスクリーンのハーフトーン辞書は、スクリーン線数（Frequency）、角度（Angle）、スポット関数（SpotFunction）が必須であると前で述べたがこのスポット関数はこの場合予め決められているものを用いている。ここでは丸のスポット関数が使用されている。上記のHalftoneType が1のハーフトーンスクリーンのハーフトーン辞書から実際にＰＳインタプリタで処理を行い入力された設定値から図２の204で示す出力値を求める。この計算はその都度行ってもいいがパフォーマンスなどを考慮すると予め求めておくと処理時間もかからなく好ましいので204で示すように線数、角度の設定値に対応した出力値のテーブルを予めドライバに持っている。実際にはここでは設定値が71lpi（線）、0degrees（度）なので出力値は75lpi（線）、0degrees（度）と求まる。次にStep203の出力線数、角度表示に進み、Ｓｔｅｐ２０２で求めた出力値の75lpi（線）、0degrees（度）を図４の402、403に75lpi（線）、0degrees（度）と表示する。第一の実施例ではここまでの対応であったが近年のプリンターの解像度は高くなってきているがどうしても処理時間の都合上解像度が低いほうがデフォルトになっている。たとえば1200dpiのプリンタでもデフォルトが600dpiとなっている。そこで解像度が高いと所望の線数、角度を達成しやすいので第２の実施例では以下の処理を追加している。
【００２１】
Step203の出力線数、角度表示に進み、Ｓｔｅｐ２０２で求めた出力値の75lpi（線）、0degrees（度）を図４の402、403に75lpi（線）、0degrees（度）と表示した後、Ｓｔｅｐ６０１で設定値と出力値の差をもとめる。この場合線数差は75-71＝4、角度差は0-0＝0となる。次にその差が許容できるかＳｔｅｐ６０２で予め設定した線数差の許容量Ｎと角度差の許容量Ｍと比較する。ここでは一例としてＮ＝３、Ｍ＝３として処理が行われ線数差4＞Ｎ、角度差＜Ｍで片方でも条件を満たしてないのでまずＹｅｓと判断する。次に解像度を上げることが可能か条件を検索し、今回はデフォルト600dpiで設定で1200dpiが設定可能と判断したときは線数、角度からYesだったので総合的に判断してYesとなりStep603に進む。しかし、解像度を上げることが可能か条件を検索した結果できない場合はＮｏと判断しそのまま終了となる。Ｓｔｅｐ603ではユーザーが線数、角度設定、実際の値を表示し終えて図４の401でOKを押したときStep602でさらにユーザーの設定に近づけることが可能と判断しているので図８の801の警告を表示し、解像度を上げるとユーザーが希望し802のＹｅｓを押すとStep605に進み解像度設定が６００dpiから1200dpiに変更される。ユーザーが803のNoを押すとそのままこの処理は終了となる。次にユーザーが解像度アップを指定したのでStep605で解像度設定を600から1200に変更し、解像度が変わると設定値に対して出力値が変わってくるのでStep202の出力線数、角度を求めに戻る。
【００２２】
以上から図６の602のように解像度を上げるか判断し、解像度を上げることでユーザーに設定した線数、角度を実際に使用される線数、角度をより近いものにすることを可能にする。
【００２３】
この実施例の中では線数、角度をそれぞれ指定しているが線数だけや角度だけもよく、さらにはスポット関数を設定できるようにしてもよい。すなわち線数、角度、スポット関数を指定して、最終線数、角度を表示するようにすることを目的とする。
【００２４】
（第三の実施例）
本発明の第二の実施例ではユーザーが設定した値に出力を近づけユーザーの所望の線数、角度になるようにする例として同じ機械で解像度を変更する例を説明したが、機械によっては解像度を上げることができないものもある。そこで第三の実施例としては図５のようなシステム構成例で複数の解像度が異なるプリンタが接続されている場合を説明する。
【００２５】
まず図５の説明を行う。ネットワーク102に複数のＰＣがＰＣ A(101)、PC B(501)、複数のプリンタがPrinter A(103)、Printer B(502)、Printer C(503)、Printer D(504)と接続され、PCからそれぞれのプリンタにネットワークを介してプリントすることが可能となっている。またPrinterは図に記載しているように最高解像度がPrinter A(103)は600dpi、Printer B(502)は1200dpi、Printer C(503)は400dpi、Printer D(504)は600dpiと出力できる解像度が異なっている。
【００２６】
以上の説明した図５のようなシステムで第三の実施例の一例としてPC A(101)のＰＳドライバでPrinter A(103)へＰＤＬデータを出力する際ユーザーがハーフトーン処理の線数、角度を設定したいときについて説明する。まず図２のStep201のHalftone Setting:Customで線数、角度を指定するため図３に示すドライバのプロパティーを開きその中のQualityタブを選択し、HalftoneSettingsの302のCustomボタンをクリックし303のSettingsをクリックし、図４の304の詳細設定画面に移行する。そこでユーザーは３０５の線数(Frequency)と３０６の角度(Angle)を入力する。たとえば71lpi（線）、0degrees（度）と入力する。するとStep202の出力線数、角度を求めに進み、ここでは入力された線数、角度から出力する線数、角度を求める。ここでHalftoneType が1のハーフトーンスクリーンのハーフトーン辞書は、スクリーン線数（Frequency）、角度（Angle）、スポット関数（SpotFunction）が必須であると前で述べたがこのスポット関数はこの場合予め決められているものを用いている。ここでは丸のスポット関数が使用されている。上記のHalftoneType が1のハーフトーンスクリーンのハーフトーン辞書から実際にＰＳインタプリタで処理を行い入力された設定値から図２の204で示す出力値を求める。この計算はその都度行ってもいいがパフォーマンスなどを考慮すると予め求めておくと処理時間もかからなく好ましいので204で示すように線数、角度の設定値に対応した出力値のテーブルを予めドライバに持っている。実際にはここでは設定値が71lpi（線）、0degrees（度）なので出力値は75lpi（線）、0degrees（度）と求まる。次にStep203の出力線数、角度表示に進み、Ｓｔｅｐ２０２で求めた出力値の75lpi（線）、0degrees（度）を図４の402、403に75lpi（線）、0degrees（度）と表示する。第二の実施例ではここでプリンタの解像度を所望の線数、角度を達成するようにしていたがPrinter Aは最高解像度が600dpiなので解像度を600以上にすることができない。そこで本第三の実施例では図５のシステムのようにネットワーク上に様々の解像度のプリンターがあるときの実施例を図７を用いて説明する。
【００２７】
図７のStep203の出力線数、角度表示に進み、Ｓｔｅｐ２０２で求めた出力値の75lpi（線）、0degrees（度）を図４の402、403に75lpi（線）、0degrees（度）と表示した後、Ｓｔｅｐ６０１で設定値と出力値の差をもとめる。この場合線数差は75-71＝4、角度差は0-0＝0となる。次にその差が許容できるかＳｔｅｐ６０２で予め設定した線数差の許容量Ｎと角度差の許容量Ｍと比較する。ここでは一例としてＮ＝３、Ｍ＝３として処理が行われ線数差4＞Ｎ、角度差＜Ｍで片方でも条件を満たしてないのでまずＹｅｓと判断する。次にプリンタ変更が可能かシステムを検索し、今回は現在600dpiで設定されおりそれより高い解像度のプリンタは図５のシステム上ではPrinter Bで1200dpiが出力可能であるので、線数、角度からYesでプリンタ変更が可能なことから最終判断はYesとなりStep603に進む。しかし、プリンタを変更することが可能か条件を検索した結果できない場合はＮｏと判断しそのまま終了となる。Ｓｔｅｐ603ではユーザーが線数、角度設定、実際の値を表示し終えて図４の401でOKを押したときStep602でさらにユーザーの設定に近づけることが可能と判断しているので図９の901の警告を表示し、プリンタを変更するとユーザーが希望し902のＹｅｓを押すとStep703に進み出力プリンタをPrinter AからPrinter Bに変更される。ユーザーが903のNoを押すとそのままこの処理は終了となる。次にユーザーがプリンタ変更を指定したのでStep703で出力プリンタをPrinter AからPrinter Bに変更し、プリンタが変わり解像度が変わると設定値に対して出力値が変わってくるのでStep202の出力線数、角度を求めに戻る。
【００２８】
以上から図7の702のようにプリンタを変更するか判断し、初めターゲットとしていたプリンタで解像度が変更不可能でも他のプリンタに変更し解像度を上げることでユーザーに設定した線数、角度を実際に使用される線数、角度をより近いものにすることを可能にする。
【００２９】
この実施例の中では線数、角度をそれぞれ指定しているが線数だけや角度だけもよく、さらにはスポット関数を設定できるようにしてもよい。すなわち線数、角度、スポット関数を指定して、最終線数、角度を表示するようにすることを目的とする。
【００３０】
（第四の実施例）
今まではドライバなどでハーフトーンスクリーンを設定してその画面上でユーザーの指定値を入力し、その出力値を表示しているが、ＰＤＬデータの中に初めから指定が記載されいる場合もある。この場合ように従来はＰＤＬの内部にどのような設定が記載してあるかプリフライトさるものは存在しているが、その設定値が送るプリンタで最終的にどのような線数、角度に変換されて出力するか表示するものはなかった。
【００３１】
そこで図４の305、306のユーザーが設定する部分にデータに記載された線数、角度を表示し、402、403に実際に出力される線数、角度を今までの実施例で説明した図２の204の設定値to出力値変換テーブルを用いれば用意にできることはいうまでもない。
【００３２】
以上からプリフライトする際に設定値だけでなく最終出力での線数、角度を表示するようにすることが可能になりユーザーに最終イメージを用意に判断できるようにすることができる。
【００３３】
この説明の中では線数、角度をそれぞれ指定しているが線数だけや角度だけもよく、さらにはスポット関数を設定できるようにしてもよい。すなわち線数、角度、スポット関数を指定して、最終線数、角度を表示するようにすることを目的とする。
【００３４】
（第五の実施例）
今まではモノクロの１色のみのハーフトーンスクリーン処理を説明してきたが、こられらをそれぞれの複数の版たとえばCyan, Magenta, Yellow, Blackに適用すればカラーでも同様の効果が得られることは言うまでもない。
【００３５】
以上から本発明では、ユーザーが設定した線数、角度が最終的にどのような線数、角度になるか表示して知らせることが可能となる。また、その際PSインタプリタがなくても予め使用するＰＳインタプリタで生成した線数、角度の対応表を使い表示することでインタプリタがないものでも対応可能となる。
【００３６】
さらには本発明では、ユーザーが設定またはデータで指定した線数、角度と最終的に使用される線数、角度との差が大きいときは解像度指定を現在の設定より高解像度の設定に変更して指定値と実際の値の差を小さくする。出力しようとしている機械でより高解像度の設定がない場合はより高解像度の機械をネットワーク上から検索してその機械に出力を可能にする。
【００３７】
さらにプリフライトする際に最終出力での線数、角度を表示するようにする。またPDL解釈部で処理した結果をデバイスに表示するようにして自分が出力したものがどのような線数、角度で出力したかを知ることが可能となる。
【００３８】
以上によりユーザーが指定した線数、角度が最終的にどのような線数、角度になるかをユーザーに知らせたり、より高解像度設定や機械を選択することでユーザーが指定した線数、角度に出力するものがより近い値になり、ユーザーの希望により近い出力結果を出力できる効果が得られる。
【図面の簡単な説明】
【００３９】
【図１】本実施例のシステム構成例。
【図２】本実施例の処理フロー。
【図３】従来例のUI設定例。
【図４】本実施例のUI設定例。
【図５】本実施例のシステム構成例。
【図６】本実施例の処理フロー。
【図７】本実施例の処理フロー。
【図８】本実施例のUI設定例。
【図９】本実施例のUI設定例。
【図１】
2008260221.tif 000003
【図２】
2008260221.tif 000004
【図３】
2008260221.tif 000005
【図４】
2008260221.tif 000006
【図５】
2008260221.tif 000007
【図６】
2008260221.tif 000008
【図７】
2008260221.tif 000009
【図８】
2008260221.tif 000010
【図９】
2008260221.tif 000011